(57)【要約】【課題】発光モード及び撮影モードの不適切な組み合わせを禁止する。【解決手段】デジタルカメラは、人物撮影を目的とするポートレート撮影モードと、風景撮影に適した風景撮影モード，近接撮影に適したマクロ撮影モードなど人物撮影を目的としない撮影モードを備えている。また、ストロボ装置の発光モードとして、赤目現象を軽減させる赤目軽減モードを備えている。撮影モードが人物撮影を目的としない撮影モードが選択されているときに、赤目軽減モードを選択しようとすると、警告が発せられるとともに、選択が禁止される。他方、赤目軽減モードが選択されているときに、人物撮影を目的としない撮影モードを選択しようとすると、警告が発せられるとともに、選択が禁止される。【選択図】        図５
2004153537.tif 000002
【特許請求の範囲】
【請求項１】
赤目現象を軽減する赤目軽減モードを含む複数の発光モードで動作し、これら複数の発光モードが発光モード選択手段によって選択可能なストロボ装置と、撮影シーンに応じた複数の撮影モードのうちいずれかを選択するための撮影モード選択手段とを備えたデジタルカメラにおいて、
前記複数の撮影モードと前記複数の発光モードとの組み合わせのうち、前記赤目軽減モードと、人物撮影を目的としない撮影モードとの組み合わせを不適切な組み合わせと判定する判定手段と、
前記判定手段が不適切と判定した場合に、その旨の警告をする警告手段とを備えたことを特徴とするデジタルカメラ。
【請求項２】
赤目現象を軽減する赤目軽減モードを含む複数の発光モードで動作し、これら複数の発光モードが発光モード選択手段によって選択可能なストロボ装置と、撮影シーンに応じた複数の撮影モードのうちいずれかを選択するための撮影モード選択手段とを備えたデジタルカメラにおいて、
前記複数の撮影モードと前記複数の発光モードとの組み合わせのうち、前記赤目軽減モードと、人物撮影を目的としない撮影モードとの組み合わせを不適切な組み合わせと判定する判定手段と、
前記判定手段が不適切と判定した場合に、前記赤目軽減モードの動作を禁止する禁止手段を備えたことを特徴とするデジタルカメラ。
【請求項３】
赤目現象を軽減する赤目軽減モードを含む複数の発光モードで動作し、これら複数の発光モードが発光モード選択手段によって選択可能なストロボ装置と、撮影シーンに応じた複数の撮影モードのうちいずれかを選択するための撮影モード選択手段とを備えたデジタルカメラにおいて、
前記複数の撮影モードと前記複数の発光モードとの組み合わせのうち、前記赤目軽減モードと、人物撮影を目的としない撮影モードとの組み合わせを不適切な組み合わせと判定する判定手段と、
前記判定手段が不適切と判定した場合に、前記発光モード又は撮影モードのいずれかを自動的に切り替えて適切な組み合わせにするモード切替手段を備えたことを特徴とするデジタルカメラ。
【発明の詳細な説明】
【０００１】
【発明の属する技術分野】
本発明は、ストロボの発光モードとして赤目軽減機能を備えたデジタルカメラに関するものである。
【０００２】
【従来の技術】
ＣＣＤなどの撮像手段によって被写体を撮像し得られた撮影画像をデジタルデータとしてメモリーカードに記録するデジタルカメラが普及している。デジタルカメラの多くには、ポートレート撮影モード，風景撮影モード，マクロ撮影モードなど各種の撮影シーンに応じた複数の撮影モードが備えられている。カメラ本体にはこれら複数の撮影モードを選択するためのモード選択ダイヤルが設けられており、ユーザーはこのモード選択ダイヤルを操作することによって所望の撮影モードを選択する。
【０００３】
各撮影モードでは、それぞれの撮影シーンに応じて、絞りや露出時間などの撮影条件が設定されるとともに、撮影された画像データに対して適切な画像処理が施される。また、撮影された画像がどの撮影モード下で撮影されたかという選択モード情報が、画像データとともにメモリーカードに記録される場合もあり、そのような場合には、その選択モード情報がプリントする際に参照されて、それに応じた適切なプリント処理が施される。このため、ユーザーがこれらの撮影モードを使い分けることにより、撮影シーンに応じた良好なプリントを得ることができる。
【０００４】
また、ストロボ装置の発光モードにも、被写体輝度に応じて発光する通常発光モードの他に、被写体輝度に関わらず強制的にストロボを発光させる強制発光モードや赤目軽減モードなど各種のモードがある。強制発光モードは、例えば、逆光撮影を行う場合に使用される。
【０００５】
赤目軽減モードは、人物を撮影した場合にひとみが赤く写るいわゆる赤目現象を軽減させるモードである。赤目現象は、瞳のうち血液が多く流れている網膜でストロボ光が反射するために生じる現象であり、暗い場所での撮影など、瞳孔が開いた状態で撮影される場合に多く発生する。赤目軽減モードでは、例えば、撮影のための本発光をする前にプレ発光を行うことで瞳孔を閉じさせることにより、本発光時における網膜でのストロボ光の反射光量を軽減させる。これらの各発光モードも、撮影モードと同様に、操作部材によって選択操作を行うことで選択される。
【０００６】
この赤目軽減モードは、主要被写体が人物である場合に効果を発揮する。そのため、従来のカメラ（例えば、特許文献１参照）では、人物撮影を目的とした撮影モードが選択された場合には、ストロボ装置が赤目軽減モードで動作させるようにしている。こうすることで、人物撮影をする際に撮影者が赤目軽減モードの選択をし忘れることを防止している。
【０００７】
【特許文献１】
特開平７−４３７９２号公報
【０００８】
【発明が解決しようとする課題】
しかしながら、上記カメラでは、風景モードなど人物撮影を目的としない撮影モードと赤目軽減モードとを同時に選択することが許容されてしまうという問題があった。このような不適切な組み合わせが許容されてしまうと、例えば、人物撮影をする場合に、発光モードは赤目モードが選択されているにも関わらず、撮影モードが風景モードのまま撮影されてしまうおそれがある。上述したように、画像処理やプリント処理は、選択された撮影モードに応じて行われるので、こうした不適切な組み合わせが許容されると、適切な画像処理やプリント処理が行われないため、良好な撮影画像が得られないという問題があった。
【０００９】
また、赤目軽減モードでは、プレ発光が行われる分、通常発光モードよりも消費電力が大きい。そのため、必要の無い場合に、赤目軽減モードを実行させることは電力が無駄に消費されることになる。
【００１０】
本発明は、撮影モード及び発光モードの誤選択を防止することで、良好な撮影画像が得られるデジタルカメラを提供することを目的とする。
【００１１】
また、本発明の別の目的は、電力消費が大きい赤目軽減機能の無駄な使用を防止するデジタルカメラを提供することを特徴とする。
【００１２】
【課題を解決するための手段】
前記目的を達成するために、本発明のデジタルカメラは、赤目現象を軽減する赤目軽減モードを含む複数の発光モードで動作し、これら複数の発光モードが発光モード選択手段によって選択可能なストロボ装置と、撮影シーンに応じた複数の撮影モードのうちいずれかを選択するための撮影モード選択手段とを備えたデジタルカメラにおいて、前記複数の撮影モードと前記複数の発光モードとの組み合わせのうち、前記赤目軽減モードと、人物撮影を目的としない撮影モードとの組み合わせを不適切な組み合わせと判定する判定手段と、前記判定手段が不適切と判定した場合に、その旨の警告をする警告手段とを備えたことを特徴とする。
【００１３】
本発明の別のデジタルカメラは、赤目現象を軽減する赤目軽減モードを含む複数の発光モードで動作し、これら複数の発光モードが発光モード選択手段によって選択可能なストロボ装置と、撮影シーンに応じた複数の撮影モードのうちいずれかを選択するための撮影モード選択手段とを備えたデジタルカメラにおいて、前記複数の撮影モードと前記複数の発光モードとの組み合わせのうち、前記赤目軽減モードと、人物撮影を目的としない撮影モードとの組み合わせを不適切な組み合わせと判定する判定手段と、前記判定手段が不適切と判定した場合に、前記赤目軽減モードの動作を禁止する禁止手段を備えたことを特徴とする。
【００１４】
また、本発明の別のデジタルカメラは、赤目現象を軽減する赤目軽減モードを含む複数の発光モードで動作し、これら複数の発光モードが発光モード選択手段によって選択可能なストロボ装置と、撮影シーンに応じた複数の撮影モードのうちいずれかを選択するための撮影モード選択手段とを備えたデジタルカメラにおいて、前記複数の撮影モードと前記複数の発光モードとの組み合わせのうち、前記赤目軽減モードと、人物撮影を目的としない撮影モードとの組み合わせを不適切な組み合わせと判定する判定手段と、前記判定手段が不適切と判定した場合に、前記発光モード又は撮影モードのいずれかを自動的に切り替えて適切な組み合わせにするモード切替手段を備えたことを特徴とする。
【００１５】
【発明の実施の形態】
図１及び図２に示すように、本発明を実施したデジタルカメラ１０の前面には、撮影レンズ１１が組み込まれたレンズ鏡筒１２、ストロボ光を発光するストロボ発光部１３が設けられている。レンズ鏡筒１２は、デジタルカメラ１０の電源がオフの時には、カメラ本体内に沈胴し、電源がオンされると、カメラ本体内から前方へ繰り出される。レンズ鏡筒１２の背後には撮像手段であるＣＣＤイメージセンサが配置されている。また、デジタルカメラ１０の側面には、メモリーカード１４がセットされるスロット１６が設けられている。
【００１６】
撮影画像データは、例えば、ＪＥＩＴＡ（電子情報技術産業協会）によって規格化されたＥＸＩＦ形式の画像ファイルに変換されて、メモリーカード１４に記録される。画像ファイルは、メモリーカード１４内で各コマを識別できるように、例えば、０００１，０００２・・・というように、ファイル名が連番で付与される。ＥＸＩＦ形式のファイルは、周知のように、ＪＰＧ形式で圧縮された画像データに、ＥＸＩＦＴＡＧデータを付加したものである。
【００１７】
ＥＸＩＦＴＡＧデータには、露出時間，絞り値，輝度値，ストロボ発光の有無など撮影条件に関する撮影条件データや、撮影された日時データ及び後述する撮影モード情報など、画像データに関連する付加的な情報が含まれる。ＥＸＩＦ形式では、画像データの形式として、圧縮形式であるＪＰＧ形式の他に、非圧縮形式であるＴＩＦＦ形式が規定されている。
【００１８】
デジタルカメラ１０の上面には、レリーズボタン１７が設けられている。また、デジタルカメラ１０の背面には、電子ビューファインダ（以下、ＥＶＦという）２６，ディスプレイ２７の他、電源ボタン２４を含む操作部２５が設けられている。撮影モードにおいては、ＥＶＦ２６には、ＣＣＤイメージセンサから出力されたスルー画像が表示される。撮影者は、このＥＶＦ２６により、撮影シーンを確認することができる。もちろん、ＥＶＦ２６の代わりに光学ファインダを使用してもよい。ディスプレイ２７は、再生モードにおいてメモリーカード１４に記憶された画像を再生表示する他、各種設定を行う設定画面を表示するために用いられる。
【００１９】
モードレバー２８は、撮影が行われる撮影モードと、画像再生が行われる再生モードとを切り替える操作部材である。汎用キー２９は、異なる種類の複数の操作を行うための操作部材であり、上下左右に配置された４つのキー２９ａ，２９ｂ，２９ｃ，２９ｄからなる。各種設定を行う場合や再生モードにおいては、汎用キー２９は、ディスプレイ２７に表示されたカーソルを移動するカーソル移動キーとして機能する。ディスプレイ２７に表示された設定画面で各種設定を行う場合には、汎用キー２９により画面内のカーソルを移動させて設定項目の選択がなされる。また、ディスプレイ２７に画像を再生表示する場合には、表示するコマの選択が行われる。確定／実行ボタン３１は、選択された項目やコマを確定する際に使用される。
【００２０】
撮影モードにおいては、上下の２つのキー２９ａ，２９ｃがズームボタンとして機能する。また、デジタルカメラ１０は、撮影シーンに応じて、複数の撮影モードを選択できるようになっており、ストロボ装置も複数の発光モードで動作する。キー２９ｄは、複数の撮影モードを選択する選択キーとして機能し、キー２９ｂは、ストロボ装置の発光モードを選択する選択キーとして機能する。
【００２１】
複数の撮影モードには、人物撮影に適したポートレート撮影モード，風景撮影に適した風景撮影モード，近接撮影に適したマクロ撮影モードがある。また、これら各撮影シーンに特化した撮影モードの他に、複数の撮影シーンに対応可能な標準撮影モードがある。キー２９ｄを押下していくと、これら複数の発光モードが順次切り替えられる。
【００２２】
これら各撮影モードでは、各モード毎に予め設定された撮影条件に基づいて撮影が行われるとともに、各モードに応じた適切な画像処理が行われる。例えば、ポートレート撮影モードでは、主要被写体となる人物がより目立つように、絞りを開放側に設定して背景をぼかしたり、画像処理においては、肌色がきれいに出るように肌色の色補正が重点的に行われる。また、風景撮影モードでは、色彩がきれいに出るように彩度を上げるとともに、コントラストを強くしたり、シャープネスを上げるなどの画像処理が施される。また、マクロ撮影モードでは、花や植物の撮影が多いと考えられるため、彩度を上げる処理が行われる。
【００２３】
ストロボ装置の動作モードには、被写体輝度に応じて発光する自動モード，赤目現象を軽減する赤目軽減モード，被写体輝度に関わらず強制的に発光させる強制発光モード，強制的にストロボ発光を禁止する発光禁止モードなどがある。キー２９ｂを押下していくと、これら複数の発光モードが順次切り替えられる。
【００２４】
汎用キー２９の内側には、インジケータ３２が設けられており、このインジケータ３２には、選択されている撮影モードや、ストロボの発光モードの選択状況が表示される。インジケータ３２は、撮影モード表示領域３２ａと、発光モード表示領域３２ｂとに区画されており、これらの領域３２ａ，３２ｂには各々のモードの表示がなされる。撮影者は、このインジケータ３２のモード表示により、現在選択されている撮影モード及び発光モードを確認することができる。もちろん、各モードの選択状況をＥＶＦ２６に表示してもよい。こうすれば、撮影者は、ＥＶＦ２６を覗いた状態で、各モードの切り替えや選択状況を確認することができる。
【００２５】
赤目軽減モードは、本発光する前にプレ発光を行うので、他のモードと比較して電力消費量が多い。そのため、赤目軽減モードが効果を発揮する場面以外ではできるだけ使用されないことが好ましい。そこで、デジタルカメラ１０では、赤目軽減モードが、主要被写体が人物であるポートレート撮影モード以外の撮影モードで使用されることを禁止している。
【００２６】
デジタルカメラ１０は、キー２９ｄによって、人物撮影を目的としない撮影モード（風景撮影モード，マクロ撮影モード）が選択されているときに、キー２９ｂの操作により、赤目軽減モードを選択しようとすると、警告音を発するとともに、インジケータ３２上の赤目軽減モードの表示をグレイアウトさせて選択を禁止する。他方、キー２９ｂの操作により、赤目軽減モードが選択されているときに、キー２９ｄの操作により、風景撮影モード又はマクロ撮影モードを選択しようとすると、警告音を発するとともに、インジケータ３２上のポートレート撮影モード以外の撮影モードの表示をグレイアウトさせて選択を禁止する。こうすることで、赤目軽減モードが、ポートレート撮影モード以外で使用されることを防止している。
【００２７】
画像ファイルには、どの撮影モードで撮影を行ったかを示す撮影モード情報及び、どの発光モードで撮影を行ったかを示す発光モード情報が記録される。プリンタで画像をプリント処理する際には、この撮影モード情報及び発光モード情報が参照されて画像処理が施される。
【００２８】
図６は、本発明のデジタルカメラ１０の電気構成を示す。マイクロコンピュータ４１は、選択された各モードに応じて、操作部２５から入力されるコマンドに従って、デジタルカメラ１０の各部を制御する。レンズ鏡筒１２及び撮影レンズ１１は、駆動モータ４２によって駆動され、レンズ鏡筒１２の繰り出し及び沈胴や、焦点調節が行われる。マイクロコンピュータ４１は、モータドライバ４３を介して駆動モータ４２の回転量を制御する。絞り４４は、図示しないＡＥ制御回路によって駆動される。
【００２９】
撮影レンズ１１の背後には、ＣＣＤイメージセンサ４６が配置されている。ＣＣＤイメージセンサ４６は、周知のように、多数の受光素子をマトリックス状に配列することにより光電面が形成されており、この光電面に結像した被写体光を光電変換する。光電面の前方には、各画素に光を集光するためのマイクロレンズアレイと、各画素がそれぞれＲ，Ｇ，Ｂのいずれかに対応するように各色のフイルタが規則的に配列されたカラーフイルタアレイとが配置されている。
【００３０】
ＣＣＤイメージセンサ４６は、ＣＣＤドライバ４７によって駆動される。ＣＣＤイメージセンサ４６の電荷蓄積時間（露出時間）は、ＣＣＤドライバ４７から供給される電子シャッタ駆動信号に応じて決められる。そして、ＣＣＤドライバ４７から供給される垂直転送クロック及び水平転送クロックに同期して、画素毎に蓄積された電荷が１ラインずつシリアルな撮像信号として出力される。
【００３１】
マイクロコンピュータ４１には、各撮影モードに応じた撮影条件データを記憶した撮影条件設定用ＬＵＴ４８が接続されている。撮影時には、このＬＵＴ４８が参照されて、ＣＣＤイメージセンサ４６の電荷蓄積時間や、絞り値が決定される。また、マイクロコンピュータ４１は、ＣＣＤイメージセンサ４６によって得られた撮像信号に基づいて焦点位置を検出し、撮影レンズ１１の移動量を決定する。焦点検出方式としては、例えば、ピントが合った状態では撮像信号の高周波成分が最も大きくなるという特徴を利用して合焦位置を検出するパッシブ方式が採用されている。
【００３２】
ＣＣＤイメージセンサ４６から出力された撮像信号は、相関二重サンプリング処理によってノイズが除去されるとともにアンプ５１によって増幅された後、Ａ／Ｄコンバータ５２に入力される。Ａ／Ｄコンバータ５２は撮像信号をデジタル変換して画像データを生成し、これを順次に画像データ処理回路に入力する。画像データ処理回路５３は、入力された画像データに対して、マトリックス演算処理，ホワイトバランス調節，ガンマ補正などの画像処理を施す。この画像処理においては、マイクロコンピュータ４１に接続された画像処理条件設定用ＬＵＴ５４が参照されて、上述の各撮影モードに応じた適切な画像処理が施される。
【００３３】
画像処理済みの画像データは、フレームメモリ５６に一時的に記憶される。ＥＶＦ２６には、このフレームメモリ５６に記憶された画像データが出力されてスルー画が表示される。レリーズボタン１７が全押しされると、フレームメモリ５６に書き込まれた画像データが圧縮伸張回路５７へ送られる。圧縮伸張回路５７は、画像データに対して圧縮処理を施し、これをリードライト回路５８へ出力する。リードライト回路５８は、圧縮された画像ファイルをメモリーカード１４へ書き込む。再生モードにおいては、リードライト回路５８がメモリーカード１４から画像ファイルを読み出した後、圧縮伸張回路５７によって伸張処理がなされた後、ディスプレイ２７に出力される。
【００３４】
ストロボ装置５９は、ストロボ発光部１３と、メインコンデンサ，トリガー回路を含む回路基板とから構成される。ストロボ装置５９は、選択された発光モードに応じて動作する。警告装置６１は、上述したように、発光モードと撮影モードの組み合わせが不適切な場合（発光モードが赤目軽減モードで、撮影モードがポートレート撮影モード以外の撮影モードであるような場合）に、警告音を発する。
【００３５】
以下、上記構成による作用について図６に示すフローチャートに従って説明する。デジタルカメラ１０で撮影をする場合、撮影者は、撮影モード選択ダイヤル１８を操作して、撮影シーンに応じて撮影モード及び発光モードを選択する。撮影モードを選択する場合には、キー２９ｄを操作し、他方、発光モードを選択する場合には、キー２９ｂを操作する。
【００３６】
撮影モードとして風景モード又はマクロモードが選択されている場合には、マイクロコンピュータ４１は、インジケータ３２上の赤目軽減モードの表示をグレイアウトさせて赤目軽減モードが選択できないようにする。そして、キー２９ｂの操作により、赤目軽減モードが選択されると、警告装置６１が警告音を発し、その選択が禁止されていることを報知する。他方、赤目軽減モードが選択されている場合には、マイクロコンピュータ４１は、インジケータ３２上の風景モード及びマクロモードの表示をグレイアウトさせて、それらの撮影モードが選択できないようにする。そして、キー２９ｄの操作により、それらの撮影モードが選択されると、警告装置６１が警告音を発し、その選択が禁止されていることを報知する。これにより、撮影モードと発光モードの不適切な組み合わせが防止されるので、不適切な画像処理が行われることが防止されるので、良好な撮影画像が得られる。また、赤目軽減モードがポートレート撮影モード以外の撮影モードで使用されることが防止されるので、電力の無駄な消費も抑えられる。
【００３７】
レリーズボタン１７が押されると、選択された撮影モードで撮影が実行される。画像データは、撮影モードに応じた画像処理が施された後、撮影モード情報及び発光モード情報とともに、メモリーカード１４に記録される。引き続き撮影をする場合には、上記手順が繰り返される。
【００３８】
メモリーカード１４に記録された画像をプリントする場合には、プリンタは、画像ファイル内の撮影モード情報及び発光モード情報を参照して、その撮影モード及び発光モードに応じた画像処理を施す。撮影モードと発光モードとの不適切な組み合わせが防止されるので、プリンタの画像処理においても不適切な処理が施されるようなことはない。このため、良好なプリントが得られる。
【００３９】
上記実施形態では、撮影モードと発光モードとの不適切な組み合わせを禁止するとともにその旨の警告をする例で説明したが、禁止又は警告のいずれか一方のみでもよい。また、警告は音声でなくてもよく、警告メッセージを表示してもよい。
【００４０】
また、上記実施形態では、撮影モード及び発光モードの選択時に、各モードの不適切な組み合わせを禁止又は警告する例で説明したが、図７のフローチャートに示すように、選択操作そのものは許容しながら、レリーズボタンが押下されたときに、各モードの組み合わせが適切かどうかを調べ、適切でない場合には、警告するようにしてもよい。例えば、風景モードと赤目軽減モードの組み合わせが選択されている状態で、レリーズボタンが半押しされると、マイクロコンピュータ４１によって、組み合わせが適切かどうかが判定される。不適切と判定された場合には、警告音が発せられる。警告にも関わらず、撮影者がレリーズボタンを全押しした場合には、撮影者が意図したものとしてそのまま撮影が実行される。もちろん、警告音の代わりに警告メッセージを表示してもよい。撮影時には、ＥＶＦ２６が使用されていると考えられるので、警告メッセージはＥＶＦ２６に表示するとよい。
【００４１】
また、警告をする代わりに、赤目軽減モードから通常モードに自動的に切り替えることにより、赤目軽減モードの動作を禁止してもよい。また、この切り替え時に、組み合わせが不適切である旨の警告メッセージを表示するとともに、通常発光モードに切り替えるかどうかを撮影者に選択させるようにしてもよい。
【００４２】
また、上記実施形態では、複数の撮影モードとして、ポートレート撮影モード，風景撮影モード，マクロ撮影モードの３つのモードを備えた例で説明したが、これ以外の撮影モードを設けてもよい。他の撮影モードには、例えば、各種の撮影シーンで汎用的に使用できるように標準的な撮影条件の設定及び画像処理を行う標準撮影モードや、夜景撮影に適した夜景撮影モードなどがある。標準モードでは、人物撮影をする場合も考えられるので、このモードでは、赤目軽減モードを許容しておくとよい。また、夜景撮影モードでも、夜景を背景に人物撮影を行う場合も考えられるので、そのような場合を考慮して、赤目軽減モードを許容しておくとよい。もちろん、どの撮影モードで赤目軽減モードの動作を許容又は禁止させるかについては、各撮影モードの目的を考慮して適宜選択される。
【００４３】
【発明の効果】
以上詳細に説明したように、本発明のデジタルカメラは、複数の撮影モードと前記複数の発光モードとの組み合わせのうち、前記赤目軽減モードと、人物撮影を目的としない撮影モードとの組み合わせを不適切な組み合わせとして、警告を発したり、または、不適切な組み合わせの場合には、赤目軽減モードの動作を禁止するようにしたから、発光モードと撮影モードの不適切な組み合わせが防止されるので、不適切な画像処理が行われることがなくなり、良好な画像を得ることができる。また、電力消費が大きい赤目軽減機能の無駄な使用を防止することができる。
【図面の簡単な説明】
【図１】デジタルカメラの前面斜視図である。
【図２】デジタルカメラの背面図である。
【図３】インジケータの説明図である。
【図４】電気構成を示すブロック図である。
【図５】モード選択手順を示すフローチャートである。
【図６】撮影手順を示すフローチャートである。
【符号の説明】
１０  デジタルカメラ
１７  レリーズボタン
１８  撮影モード選択ダイヤル
２７  ディスプレイ
２９  汎用キー
３２  インジケータ
４１  マイクロコンピュータ
５９  ストロボ装置
６１  警告手段
【図１】
2004153537.tif 000003
【図２】
2004153537.tif 000004
【図３】
2004153537.tif 000005
【図４】
2004153537.tif 000006
【図５】
2004153537.tif 000007
【図６】
2004153537.tif 000008